(57)【特許請求の範囲】
【請求項１】
圧縮機、凝縮器、減圧装置及び冷却器などを順次冷媒配管で接続して冷凍サイクルを構成し、冷却器で断熱箱体内の庫内を冷却する恒温庫において、
前記圧縮機および凝縮器が取り付けられるユニットベースと、
前記断熱箱体の下方に前記ユニットベースを格納するユニット格納室と、
このユニット格納室を支持する主支持脚と、
この主支持脚とは別体に設けられ、前記ユニット格納室の構造部材にユニットベースが接触しないようにユニットベースを支持するユニット用支持脚とを備え、
前記ユニット格納室の構造部材には、貫通孔が上下方向に形成され、
この構造部材の貫通孔に、前記ユニット用支持脚が挿通されていることを特徴としている恒温庫。
【発明の詳細な説明】
【０００１】
【発明の属する技術分野】
本発明は、冷却器が庫内を冷却し、この冷却器と共に冷凍サイクルを構成する圧縮機および凝縮器などがユニットベースに取り付けられている恒温庫に関し、特に、ハードディスクなどの電気部品や精密部品などを設定温度でテストを行うための恒温庫に関する。
【０００２】
【従来の技術】
従来の恒温庫を図５を用いて簡単に説明する。図５は従来の恒温庫の断面図である。庫内０１の空気は循環ファン０２により循環する。この空気の循環路には、冷却器０３および加熱ヒーター０４が設置され、循環する空気を冷却や加熱することができる。庫内０１の下側にはユニット格納室０６が配置され、このユニット格納室０６内に、冷却器０３と共に冷凍サイクルを構成する圧縮機０７や凝縮器０８が格納されている。この圧縮機０７や凝縮器０８はユニットベース０９に取り付けられ、このユニットベース０９が、ユニット格納室０６を構成する構造部材０１１にボルトなどにより固定されている。また、ユニットベース０９上には、凝縮器０８を冷却するための凝縮器用ファン０１２などが取り付けられている。
【０００３】
ハードディスクなどの電気部品や精密部品などのテスト部品をテストする際には、テスト部品を部品テスト装置（図示しない）に装着し、庫内０１の棚０１６上に収納する。そして、温度検出器０１３の検出温度が所定の温度となるように、冷却器０３や加熱ヒーター０４で庫内０１内の温度が調整される。テストは、テスト部品が運転している状態で行われる。
【０００４】
【発明が解決しようとする課題】
ところで、圧縮機０７や凝縮器用ファン０１２のモータなどで発生した振動が、ユニットベース０９、ユニット格納室０６の構造部材０１１、庫内０１を形成する断熱箱体０１４、棚０１６および部品テスト装置などを介して、運転状態のテスト部品に伝わることがある。そして、このテスト部品に伝わった振動が、運転中のテスト部品に悪影響を与え、正常品であるにもかかわらず、不良品であると誤判断されることがある。
【０００５】
本発明は、以上のような課題を解決するためのもので、テスト部品などに伝わる振動を極力減少させることができる恒温庫を提供することを目的としている。
【０００６】
【課題を解決するための手段】
本発明の恒温庫は、圧縮機（３２）、凝縮器（３１）、減圧装置（４３）及び冷却器（６）などを順次冷媒配管（４４）で接続して冷凍サイクルを構成し、冷却器で断熱箱体（１）内の庫内（３）を冷却する。
【０００７】
この恒温庫は、圧縮機および凝縮器が取り付けられるユニットベース（２６）と、前記断熱箱体の下方に前記ユニットベースを格納するユニット格納室（１６）と、このユニット格納室を支持する主支持脚（１８）と、この主支持脚とは別体に設けられ、前記ユニット格納室の構造部材（１７，２１）にユニットベースが接触しないようにユニットベースを支持するユニット用支持脚（３６，５１）とを備えている。
【０００８】
【０００９】
そして、前記ユニット格納室の構造部材には、貫通孔（２３）が上下方向に形成され、この構造部材の貫通孔に、前記ユニット用支持脚が挿通されている。
【００１０】
【発明の実施の形態】
次に、本発明における恒温庫の実施の第１の形態を図１ないし図３を用いて説明する。図１は実施の第１の形態の恒温庫の断面図である。図２は恒温庫の冷媒回路図である。図３は実施の第１の形態の恒温庫の運搬時の説明図で、（ａ）が要部断面図、（ｂ）が要部拡大断面図である。
【００１１】
恒温庫の上部は、前面が開口している断熱箱体１で構成されている。この断熱箱体１の前面開口は、断熱扉２で開閉自在に閉塞されている。断熱箱体１の内部空間すなわち庫内３には空気循環路が形成され、この空気循環路に配置された循環ファン４により庫内３の空気が循環している。また、空気循環路には冷却器６および加熱ヒーター７が配置され、循環している空気を冷却したり、また、加熱したりしている。庫内３の温度は温度検出器８が検出する。そして、この温度検出器８の検出値が設定値になるように、図示しない制御装置が冷却器６および加熱ヒーター７を制御しており、庫内温度は所望の値（たとえば、０℃から６０℃の間の温度）になる。
【００１２】
一方、恒温庫の下部すなわち断熱箱体１の下側には、ユニット格納室１６が形成されている。このユニット格納室１６は、構造部材であるアングル材１７で組み立てられており、このアングル材１７は断熱箱体１を支持している。また、ユニット格納室１６の下側には、ユニット格納室１６を支持する主支持脚１８が複数設けられている。ユニット格納室１６の下部横桁２１は溝型材で構成され、ボルト用貫通孔２２および支持脚用貫通孔２３が上下に貫通して形成されている。
【００１３】
ユニット格納室１６内には、ユニットベース２６が配置されており、このユニットベース２６上に、凝縮器３１、圧縮機３２および凝縮器用ファン３３などが載置固定されている。この凝縮器３１および圧縮機３２は、前記冷却器６と共に冷凍サイクルを構成している。ユニットベース２６にはナット３４が固着されているとともに、ユニット用支持脚３６が取り付けられている。このユニット用支持脚３６は、下部横桁２１の支持脚用貫通孔２３に挿通された状態で配置されている。そして、恒温庫が設置場所などに運搬される際には、図３（ａ）に図示するように、ユニットベース２６は下部横桁２１上に載置され、下部横桁２１の下側から、ボルト３７が筒状のカラー３８および下部横桁２１のボルト用貫通孔２２に挿入されて、ユニットベース２６のナット３４に螺合している。そして、このボルト３７によりユニットベース２６は下部横桁２１上に固定されている。この状態では、ユニット用支持脚３６の下端は、主支持脚１８の下端よりも下方に突出している。
【００１４】
そして、恒温庫が設置面４１に設置される際には、ボルト３７およびカラー３８が取り外され、図１に図示するように、ユニット用支持脚３６により、ユニットベース２６が上昇し、ユニットベース２６とユニット格納室１６の下部横桁２１との間に空間（たとえば、約５ｍｍ）が形成され、ユニットベース２６はユニット格納室１６の構造部材であるアングル材１７や下部横桁２１などと接触しなくなる。
【００１５】
次に、恒温庫の冷凍サイクルについて簡単に説明する。図２に示すように、冷凍サイクルは、圧縮機３２、凝縮器３１、減圧装置であるキャピラリーチューブ４３および冷却器６などを、順次冷媒配管４４で接続して構成されている。そして、冷却運転時には、圧縮機３２および、凝縮器３１を空冷する凝縮器用ファン３３が稼働しており、圧縮機３２は気体状の冷媒を加圧して凝縮器３１に吐出する。この凝縮器３１で冷媒は空冷されて液化し、ついで、キャピラリーチューブ４３に流入して減圧された後に、冷却器６に供給される。この冷却器６において、冷媒は周囲の熱を奪い、そして、再び、圧縮機３２に戻っている。この様にして、冷却器６は周囲の空気を冷却することができる。
【００１６】
ところで、前述のように、ユニットベース２６は運搬時と設置後とで上下に変位するので、この変位を許容するように、図１および図３（ａ）に図示するように、凝縮器３１から冷却器６への冷媒配管４４および冷却器６から圧縮機３２への冷媒配管４４の両者が各々、ユニット格納室１６内において、略水平に延在する水平部分４４ａを有している。この水平部分４４ａが図１に図示する状態と図３（ａ）に図示する状態との間で変位することにより、冷媒配管４４などに無理な力が加わることを防止している。
【００１７】
そして、恒温庫で、ハードディスクなどの電気部品や精密部品などのテスト部品をテストする際には、テスト部品を部品テスト装置（図示しない）に装着し、庫内３の棚４６上に収納する。そして、温度検出器８の検出値が所定の温度となるように、冷却器６や加熱ヒーター７で庫内３内の温度が調整される。また、テストは、テスト部品が運転している状態で行われる。
【００１８】
この様に構成されている実施の形態の恒温庫は、設置状態では、ユニットベース２６はユニット格納室１６の構造部材であるアングル材１７や下部横桁２１には接触しておらず、ユニットベース２６上の凝縮器用ファン３３のモータや圧縮機３２などの振動が、ユニットベース２６を介してアングル材１７や下部横桁２１に伝達されることはない。したがって、凝縮器用ファン３３のモータや圧縮機３２などの振動が、庫内３内のテスト部品に伝わることが減少する。その結果、正常品であるにもかかわらず、不良品であると誤判断されることを極力防止することができる。
【００１９】
また、輸送中は、ユニットベース２６はユニット格納室１６の下部横桁２１に固定されており、ユニットベース２６が不用意に移動して破損したり故障したりすることを防止することができる。
【００２０】
さらに、ユニットベース２６のユニット用支持脚３６は、下部横桁２１の支持脚用貫通孔２３に挿通されて配置されており、地震などの際に、ユニットベース２６がユニット格納室１６内において大きく前後左右に変位することを防止することができる。
【００２１】
次に、本発明における恒温庫の実施の第２の形態について説明する。図４は実施の第２の形態の恒温庫の要部断面図で、（ａ）が設置時の図、（ｂ）が運搬時の図である。なお、この実施の第２の形態の説明において、前記実施の第１の形態の構成要素に対応する構成要素には同一符号を付して、その詳細な説明は省略する。
【００２２】
実施の第１の形態においては、ユニット用支持脚３６は、その長さの調整ができず、運搬時にはユニット用支持脚３６の下端が主支持脚１８の下端よりも下方に突出している。そのため、運搬の際に、ユニット用支持脚３６が邪魔になることがある。そこで、実施の第２の形態においては、ユニット用支持脚５１が、その長さを調整できるように、伸縮可能となっており、ユニットベース２６に固定される高ナット５１ａと、この高ナット５１ａと螺合するネジ部５１ｂと、ネジ部５１ｂの下端に設けられた接地部５１ｃとを具備している。
【００２３】
そして、運搬時には、図４（ｂ）に図示するように、ネジ部５１ｂを高ナット５１ａにねじ込んでユニット用支持脚５１を短くし、ユニット用支持脚５１の下端を主支持脚１８の下端よりも上側に位置するようにしている。一方、設置時には、ネジ部５１ｂを回転して、ユニット用支持脚５１を長くし、ユニットベース２６を浮き上がらせて、ユニットベース２６と下部横桁２１との間に空間（たとえば、約５ｍｍ）を形成している。
【００２４】
この様に構成されている実施の第２の形態の恒温庫では、運搬時にユニット用支持脚５１が主支持脚１８の下端よりも下方に突出せず、邪魔になることが減少する。
【００２５】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）水平部分４４ａの個数や配置は適宜変更可能である。ただし、凝縮器３１から冷却器６への冷媒配管４４および冷却器６から圧縮機３２への冷媒配管４４の少なくとも一方は、ユニット格納室１６内において、略水平に延在する水平部分４４ａを複数有していることが好ましい。また、水平部分４４ａは、ユニットベース２６の上下の変位を許容するように、略水平に延在していれば良い。
【００２６】
（２）実施の形態においては、減圧装置はキャピラリーチューブであるが、減圧装置は膨張弁でも可能である。
（３）恒温庫を、ハードディスクなどの電気部品や精密部品などのテスト以外の用途に使用することも可能である。
【００２７】
（４）ユニット用支持脚の伸縮機構は適宜変更可能である。ただし、高ナット５１ａとネジ部５１ｂとで構成することが好ましい。
（５）運搬時にユニットベース２６を支持するユニット格納室１６の構造部材は、必ずしも下部横桁２１ではなく、他の部材であることも可能である。
【００２８】
【発明の効果】
本発明によれば、圧縮機および凝縮器の取り付けられているユニットベースが、主支持脚とは別体のユニット用支持脚で支持されており、ユニットベースがユニット格納室の構造部材に接触しない。そのため、圧縮機などの振動が、ユニットベースやユニット格納室の構造部材を介して、テスト部品に伝達されることを極力防止することができる。その結果、テスト部品が正常品であるにもかかわらず、不良品であると誤判断されることが減少する。
【００２９】
そして、前記ユニット格納室の構造部材には、貫通孔が上下方向に形成され、この構造部材の貫通孔に、前記ユニット用支持脚が挿通されているので、ユニットベースがユニット格納室内において前後左右に大きく変位することを防止することができる。
【図面の簡単な説明】
【図１】  図１は実施の第１の形態の恒温庫の断面図である。
【図２】  図２は恒温庫の冷媒回路図である。
【図３】  図３は実施の第１の形態の恒温庫の運搬時の説明図で、（ａ）が要部断面図、（ｂ）が要部拡大断面図である。
【図４】  図４は実施の第２の形態の恒温庫の要部断面図で、（ａ）が設置時の図、（ｂ）が運搬時の図である。
【図５】  図５は従来の恒温庫の断面図である。
【符号の説明】
１  断熱箱体
３  庫内
６  冷却器
１６  ユニット格納室
１７  アングル材（構造部材）
１８  主支持脚
２１  下部横桁（構造部材）
２３  支持脚用貫通孔
２６  ユニットベース
３１  凝縮器
３２  圧縮機
３６  ユニット用支持脚
４３  キャピラリーチューブ（減圧装置）
４４  冷媒配管
４４ａ  水平部分
５１  ユニット用支持脚
５１ａ  高ナット
５１ｂ  ネジ部
【図１】
0003831667.tif 000002
【図２】
0003831667.tif 000003
【図３】
0003831667.tif 000004
【図４】
0003831667.tif 000005
【図５】
0003831667.tif 000006